(57)【要約】【課題】２枚のシートが重ね合わされてその一部が剥離可能に貼着されてなる郵便物において、はがきとなるシートを、はがきとなるシート側から見た郵便物の外観を保持した状態で破れることなく他のシートから分離する。【解決手段】一方の面に郵便切手１１が印刷されたはがきシート１０と、はがきシート１０の他方の面に重ね合わされ、１つの端辺に沿って感圧接着剤４０によってはがきシート１０と剥離困難に貼着されるとともに、他の領域の全面にて感圧接着剤３０によってはがきシート１０と剥離可能に貼着された補助シート２０とを有する。【選択図】図１
2018176554.tif 000002
【特許請求の範囲】
【請求項１】
第１のシートと第２のシートとが重ね合わされ、前記第１のシートと前記第２のシートとがその１つの端辺に沿って剥離困難に貼着されるとともに、それ以外の領域の全面にて剥離可能に貼着されてなる郵便物の製造方法であって、
前記第１のシートと前記第２のシートとが連接してなるベースシートの一方の面に、貼着後の剥離を可能とする第１の接着剤を塗布する工程と、
前記ベースシートの前記一方の面の前記第１のシートと前記第２のシートとの連接辺に沿って前記第１のシートと前記第２のシートとのそれぞれに、貼着後の剥離を困難とする第２の接着剤を塗布する工程と、
前記一方の面が内側となるように前記連接辺を中心として前記ベースシートを折り畳む工程と、
前記連接辺を切り落とす工程とを有する、郵便物の製造方法。
【請求項２】
一方の面に郵便切手が印刷されたはがきシートと、
前記はがきシートの他方の面に重ね合わされ、１つの端辺に沿って前記はがきシートと剥離困難に貼着されるとともに、他の領域の全面にて前記はがきシートと剥離可能に貼着された補助シートとを有する郵便物。
【発明の詳細な説明】
【技術分野】
【０００１】
本発明は、２枚のシートが重ね合わされてその一部が剥離可能に貼着されてなる郵便物に関する。
【背景技術】
【０００２】
情報伝達媒体の１つであるはがきとして、伝達する情報の量を増やしたり、情報を隠蔽して送付したりするために、２つのシート部を剥離可能に接着した圧着はがきが利用されている。圧着はがきは、折り畳み可能に連接したはがきサイズの２つのシート部の少なくとも一方の面に、通常では接着力が発現せず、加圧することで接着力が発現する感圧接着剤を塗布しておき、感圧接着剤が塗布された面が内側となるように折り畳んで加圧することで、１枚のはがきの形態として送付することができる。
【０００３】
このような圧着はがきとしては、折り畳み可能に連接した３つのシート部の所定の領域に感圧接着剤を塗布しておき、感圧接着剤が塗布された面が内側となるようにＺ状に折り畳んで加圧し、その後、３つのシート部のうちはがき本体とはならない２つのシート部の連接辺を切り落とすことで、３つのシート部がブック上に見開き可能に構成されたものも考えられており、特許文献１に開示されている。
【０００４】
ところで、上述したような圧着はがきにおいて、はがき本体となるシート部を他のシート部から分離して保管しておきたい場合がある。そのような要望に応えるためには、例えば、シート部にミシン目等の切り離し線を形成しておき、その切り離し線を破断することで２つのシート部を切り離し、はがき本体となるシート部を保管することが考えられる。ところが、そのような構成においては、破断部分が切り離し線から逸れる場合があり、はがき本体となるシート部が破れてしまう虞がある。
【０００５】
ここで、往信部と返信部とが切り離し可能に連接された本体紙片の表裏に、表紙片及び裏紙片が貼着されてなる往復葉書において、表紙片及び裏紙片の端辺が本体紙片に剥離困難に貼着されるとともに、表紙片及び裏紙片のその他の領域が本体紙片に剥離可能に貼着されてなる往復はがきが、特許文献２に開示されている。特許文献２に開示された往復はがきにおいては、送付先の住所、氏名等の情報が表紙片に表示されているととともに、往復郵便はがきである旨を示す情報が本体紙片に表示されており、表紙片は、往復郵便はがきである旨を示す情報を表出させるために往信部と返信部に対して狭幅の形状となっている。
【先行技術文献】
【特許文献】
【０００６】
【特許文献１】特開２００３−１１８２７０号公報
【特許文献２】特開平１０−２２６１８５号公報
【発明の概要】
【発明が解決しようとする課題】
【０００７】
特許文献２に開示されたものにおいては、上述したように、はがきとなるシート部を他のシート部から分離して保管しておく場合、表紙片を分離して保管することになるが、表示片の形状が、本体紙片における往復郵便はがきである旨の表示を表出させるために、往信部と返信部に対して狭幅の形状となっているため、表紙片を分離した場合、送付されてきた際の外観を保持した状態、すなわち、表紙片側から見た往復はがきとしての外観を保持した状態で保管することができないという問題点がある。
【０００８】
本発明は、上述したような従来の技術が有する問題点に鑑みてなされたものであって、２枚のシートが重ね合わされてその一部が剥離可能に貼着されてなる郵便物において、はがきとなるシートを、はがきとなるシート側から見た郵便物の外観を保持した状態で破れることなく他のシートから分離することができる、郵便物の製造方法及び郵便物を提供することを目的とする。
【課題を解決するための手段】
【０００９】
上記目的を達成するために本発明は、
第１のシートと第２のシートとが重ね合わされ、前記第１のシートと前記第２のシートとがその１つの端辺に沿って剥離困難に貼着されるとともに、それ以外の領域の全面にて剥離可能に貼着されてなる郵便物の製造方法であって、
前記第１のシートと前記第２のシートとが連接してなるベースシートの一方の面に、貼着後の剥離を可能とする第１の接着剤を塗布する工程と、
前記ベースシートの前記一方の面の前記第１のシートと前記第２のシートとの連接辺に沿って前記第１のシートと前記第２のシートとのそれぞれに、貼着後の剥離を困難とする第２の接着剤を塗布する工程と、
前記一方の面が内側となるように前記連接辺を中心として前記ベースシートを折り畳む工程と、
前記連接辺を切り落とす工程とを有する。
【００１０】
上記のように構成された本発明においては、互いに連接した第１のシートと第２のシートとが、その連接辺に沿って第１の接着剤によって剥離困難に貼着されるとともに、それ以外の領域の全面にて第２の接着剤によって剥離可能に貼着された後、連接辺が切り落とされることで、第１のシートと第２のシートとが、１つの端辺に沿って剥離困難に貼着されるとともに、他の領域の全面にて剥離可能に貼着された構成となるので、第１のシートと第２のシートとを剥離することによって第１のシートを第２のシートから分離することとなり、それにより、第１のシートをはがきとした場合に、このはがきを、はがき側から見た郵便物の外観を保持した状態で破れることなく第２のシートから分離することができる。
【００１１】
そのような郵便物として、一方の面に郵便切手が印刷されたはがきシートと、
前記はがきシートの他方の面に重ね合わされ、１つの端辺に沿って前記はがきシートと剥離困難に貼着されるとともに、他の領域の全面にて前記はがきシートと剥離可能に貼着された補助シートとを有するものが考えられる。
【００１２】
その場合、郵便切手が印刷されたはがきシートを、はがきシート側から見た郵便物の外観を保持した状態で破れることなく補助シートから分離することができる。
【発明の効果】
【００１３】
本発明によれば、２枚のシートが重ね合わされてその一部が剥離可能に貼着されてなる郵便物において、はがきとなるシートを、はがきとなるシート側から見た郵便物の外観を保持した状態で破れることなく他のシートから分離することができる。
【図面の簡単な説明】
【００１４】
【図１】本発明の郵便物の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図、（ｅ）は裏面図である。
【図２】図１に示した郵便物の製造方法を説明するための図である。
【図３】図１に示した郵便物の使用方法を説明するための図である。
【図４】図１に示した郵便物の使用方法を説明するための図である。
【図５】本発明の郵便物の他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図、（ｅ）は裏面図である。
【図６】図５に示した郵便物の製造方法を説明するための図である。
【発明を実施するための形態】
【００１５】
以下に、本発明の実施の形態について図面を参照して説明する。
【００１６】
図１は、本発明の郵便物の実施の一形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図、（ｅ）は裏面図である。
【００１７】
本形態は図１に示すように、同一の長方形形状を有するはがきシート１０と補助シート２０とが重ね合わされて互いに貼着されてなる郵便物１である。なお、図１（ｄ）においては、郵便物１の積層構造をわかりやすくするために便宜上厚みを帯びて図示しているが、郵便物１は実際には、図１（ｂ），（ｃ）に示すように、横方向から見た場合に積層構造がわからないほどのものである。
【００１８】
はがきシート１０は、本願発明における第１のシートとなるものであって、その表面に、郵便はがきである旨を示す情報１２が印刷されているとともに、郵便切手１１が印刷され、さらに、郵便番号を印字または記入するための郵便番号表示領域１３と、郵便物１の送付先の住所や氏名等の宛先情報を印字または記入するための宛先情報表示領域１４が設けられている。はがきシート１０の裏面、すなわち補助シート２０との貼着面には、その全面に感圧接着剤３０が塗布されているとともに、はがきシート１０の長手方向に延びる１つの端辺に沿ってライン状に感圧接着剤４０が塗布されている。
【００１９】
補助シート２０は、本願発明における第２のシートとなるものであって、その表面、すなわちはがきシート１０との貼着面には、その全面に感圧接着剤３０が塗布されているとともに、補助シート２０の長手方向に延びる１つの端辺に沿って、はがきシート１０に塗布された感圧接着剤４０と対向するように感圧接着剤４０がライン状に塗布されている。補助シート２０の裏面には、郵便物１の送付先に通知する通知情報２１が印刷されている。
【００２０】
感圧接着剤３０は、本願発明における第１の接着剤となるものであって、通常では接着力が発現せず、加圧することで接着力が発現するものであり、はがきシート１０と補助シート２０との貼着後の剥離を可能とするものである。また、感圧接着剤４０は、本願発明における第２の接着剤となるものであって、感圧接着剤３０と同様に、通常では接着力が発現せず、加圧することで接着力が発現するものであるが、感圧接着剤３０よりも接着力が強いことではがきシート１０と補助シート２０との貼着後の剥離を困難とするものである。
【００２１】
このように構成された郵便物１は、はがきシート１０と補助シート２０とが、上記のようにして感圧接着剤３０，４０によって貼着されていることで、１つの端辺に沿って感圧接着剤４０によって剥離困難に貼着されるとともに、他の領域の全面にて感圧接着剤３０によって剥離可能に貼着されたものとなっている。なお、剥離困難とは、はがきシート１０と補助シート２０とを人間の手によって剥離した場合に、はがきシート１０や補助シート２０が厚み方向に分割される程度に強接着されていることである。
【００２２】
以下に、上記のように構成された郵便物１の製造方法について説明する。
【００２３】
図２は、図１に示した郵便物１の製造方法を説明するための図であり、その断面を示す。
【００２４】
図１に示した郵便物１を製造する場合は、まず、図２（ａ）に示すように、はがきシート１０と補助シート２０とが折り部３を介して連接してなるベースシート２の一方の面の全面に感圧接着剤３０を塗布する。
【００２５】
次に、図２（ｂ）に示すように、ベースシート２の感圧接着剤３０が塗布された面のはがきシート１０と補助シート２０との連接辺となる折り部３に沿って、はがきシート１０と補助のシート２０とのそれぞれに、感圧接着剤４０をライン状に塗布する。
【００２６】
次に、図２（ｃ）に示すように、感圧接着剤３０，４０が塗布された面が内側となるように折り部３を中心としてベースシート２を折り畳み、はがきシート１０と補助シート２０とを感圧接着剤３０，４０によって貼着する。
【００２７】
その後、図２（ｄ）に示すように、ベースシート２の折り部３となる部分を切り落とすことで、図１に示した郵便物１を完成させる。
【００２８】
以下に、上述した郵便物１の使用方法について説明する。
【００２９】
図３及び図４は、図１に示した郵便物１の使用方法を説明するための図である。
【００３０】
図１に示した郵便物１は、図３（ａ）に示すように、郵便物１の送付先の住所や氏名等の宛先情報１４ａが宛先情報表示領域１４に印字または記入された後、宛先情報１４ａに従って送付先に届けられ、その後、感圧接着剤４０が塗布された端辺とは反対側の端辺を含む角部を剥離開始端として、はがきシート１０と補助シート２０とが剥離されていく。はがきシート１０と補助シート２０とは、感圧接着剤４０によって貼着された領域以外の領域においては、感圧接着剤３０によって剥離可能に貼着されているため、感圧接着剤４０が塗布された端辺とは反対側の端辺を含む角部を剥離開始端とすることで、互いに剥離していくことができる。
【００３１】
そして、はがきシート１０と補助シート２０との剥離部分が、感圧接着剤４０が塗布された領域に到達すると、感圧接着剤４０が塗布された領域においては、上述したようにはがきシート１０と補助シート２０とが剥離困難に貼着されているため、その領域においては、はがきシート１０と補助シート２０とが感圧接着剤３０によって剥離可能に貼着された領域と同じ剥離力では剥離することができなくなり、それにより、図３（ｂ）に示すように、感圧接着剤４０が塗布された領域を中心としてはがきシート１０と補助シート２０とを見開くことができる。それにより、はがきシート１０の補助シート２０との貼着面に印刷された通知情報１５や、補助シート２０のはがきシート１０との貼着面に印刷された通知情報２５が視認可能となる。なお、感圧接着剤４０が塗布された領域を中心としてはがきシート１０と補助シート２０とが見開かれた状態とするためには、感圧接着剤３０よりも接着力が強いものを用いれば、貼着後の剥離を困難とする感圧接着剤４０に限らない。また、このように、感圧接着剤４０が塗布された領域を中心としてはがきシート１０と補助シート２０とが見開かれることになるため、感圧接着剤４０が塗布された領域を挟んだ一定幅の部分には、通知情報１５，２５を含む印刷はされていない。
【００３２】
その後、はがきシート１０と補助シート２０の感圧接着剤４０によって貼着された領域を、はがきシート１０と補助シート２０とが感圧接着剤３０によって剥離可能に貼着された領域を剥離した剥離力よりも強い剥離力で剥離することで、図４に示すように、はがきシート１０と補助シート２０を分離することができ、はがきシート１０を補助シート２０から分離して保管することができる。なお、感圧接着剤４０が塗布された領域においては、はがきシート１０と補助シート２０とが感圧接着剤４０によって剥離困難に貼着されているものの、感圧接着剤４０がライン状に塗布されていることで、はがきシート１０と補助シート２０とが感圧接着剤３０によって剥離可能に貼着された領域を剥離した剥離力よりも強い剥離力で剥離すれば、はがきシート１０が裂けることなく補助シート２０から分離することができる。
【００３３】
このように、本形態の郵便物１においては、互いに連接したはがきシート１０と補助シート２０とが、その連接辺となる折り部３に沿って感圧接着剤４０によって剥離困難に貼着されるとともに、それ以外の領域の全面にて感圧接着剤３０によって剥離可能に貼着された後、折り部３となる部分が切り落とされることで、はがきシート１０と補助シート２０とが、１つの端辺に沿って剥離困難に貼着されるとともに、他の領域の全面にて剥離可能に貼着された構成となるので、はがきシート１０と補助シート２０とを感圧接着剤３０が塗布された領域を剥離して見開いた後、感圧接着剤４０が塗布された領域を剥離することによって、はがきシート１０が補助シート２０から面で分離することにより、はがきシート１０が破れることなく、はがきシート１０側から見た郵便物１の外観を保持した状態で破れることなく補助シート２０から分離することができる。
【００３４】
（他の実施の形態）
図５は、本発明の郵便物の他の実施の形態を示す図であり、（ａ）は表面図、（ｂ）は（ａ）に示した矢印Ａ方向から見た図、（ｃ）は（ａ）に示した矢印Ｂ方向から見た図、（ｄ）は（ａ）に示したＣ−Ｃ’断面図、（ｅ）は裏面図である。
【００３５】
本形態は図５に示すように、図１に示したものに対して、補助シート２０のはがきシート１０との貼着面の反対側にも補助シート５０が貼着されており、はがきシート１０及び補助シート２０，５０の互いの貼着面のみならず、はがきシート１０及び補助シート５０の表出面にも感圧接着剤３０が塗布されている点が異なる郵便物１０１である。また、本形態における郵便物１０１においては、郵便はがきである旨を示す情報１２は補助シート２０に印刷され、はがきシート１０には、情報１２に対向する領域に表出孔１６が形成されており、この表出孔１６を介して情報１２が視認可能となっている。また、感圧接着剤４０は、はがきシート１０と補助シート２０との貼着面においては、図１に示したものと同様に１つの端辺に沿ってはがきシート１０と補助シート２０とのそれぞれに互いに対向するようにライン状に塗布されており、補助シート２０と補助シート５０との貼着面においては、補助シート２０のはがきシート１０との貼着面に塗布された感圧接着剤４０が沿う端辺とは反対側の端辺に沿って、補助シート２０と補助シート５０とのそれぞれに互いに対向するようにライン状に塗布されている。
【００３６】
以下に、上記のように構成された郵便物１０１の製造方法について説明する。
【００３７】
図６は、図５に示した郵便物１０１の製造方法を説明するための図であり、その断面を示す。
【００３８】
図５に示した郵便物１０１を製造する場合は、まず、図６（ａ）に示すように、はがきシート１０と補助シート２０，５０とが折り部３ａ，３ｂを介して連接してなるベースシート１０２の両面に感圧接着剤３０を塗布する。
【００３９】
次に、図６（ｂ）に示すように、ベースシート１０２の一方の面において、はがきシート１０と補助シート２０との連接辺となる折り部３ａに沿って、はがきシート１０と補助のシート２０とのそれぞれに感圧接着剤４０をライン状に塗布するとともに、ベースシート１０２の他方の面において、補助シート２０と補助シート５０との連接辺となる折り部３ｂに沿って、補助のシート２０，５０とのそれぞれに感圧接着剤４０をライン状に塗布する。
【００４０】
次に、図６（ｃ）に示すように、はがきシート１０の感圧接着剤４０が塗布された面と補助シート２０の感圧接着剤４０が塗布された面とが対向するとともに、補助シート２０，５０の感圧接着剤４０が塗布された面が互いに対向するように折り部３ａ，３ｂを中心としてベースシート１０２をＺ状に折り畳み、はがきシート１０と補助シート２０とを感圧接着剤３０，４０によって貼着するとともに、補助シート２０と補助シート５０とを感圧接着剤３０，４０によって貼着する。
【００４１】
その後、図６（ｄ）に示すように、ベースシート１０２の折り部３ａ，３ｂとなる部分を切り落とすことで、図５に示した郵便物１０１を完成させる。
【００４２】
上記のようにして作製された郵便物１０１においても、図１に示したものと同様に、感圧接着剤４０が塗布された領域を中心として、はがきシート１０と補助シート２０、また、２つの補助シート２０，５０がそれぞれ見開かれることになる。そして、その後に、はがきシート１０と補助シート２０の感圧接着剤４０によって貼着された領域を、はがきシート１０と補助シート２０とが感圧接着剤３０によって剥離可能に貼着された領域を剥離した剥離力よりも強い剥離力で剥離することで、はがきシート１０を補助シート２０，５０から分離することができ、はがきシート１０を補助シート２０，５０から分離して保管することができる。また、補助シート２０，５０についても、感圧接着剤４０によって貼着された領域を、２つの補助シート２０，５０が感圧接着剤３０によって互いに剥離可能に貼着された領域を剥離した剥離力よりも強い剥離力で剥離することで、互いに分離することができる。
【００４３】
なお、本形態においては、はがきシート１０と補助シート２０とが感圧接着剤３０，４０によって貼着されるとともに、２つの補助シート２０，５０が感圧接着剤３０，４０によって貼着された構成とするために、ベースシート１０２の両面に感圧接着剤３０，４０が塗布されているが、はがきシート１０と補助シート２０とが感圧接着剤３０，４０によって貼着されただけの構成とする場合は、図１に示したものと同様に、ベースシート１０２のうち、はがきシート１０と補助シート２０となる領域の一方の面に感圧接着剤３０，４０を塗布すればよい。
【符号の説明】
【００４４】
１，１０１    郵便物
２，１０２    ベースシート
３，３ａ，３ｂ    折り部
１０    はがきシート
１１    郵便切手
１２    情報
１３    郵便番号表示領域
１４    宛先情報表示領域
１４ａ    宛先情報
１５，２１，２５，５１    通知情報
１６    表出孔
２０，５０    補助シート
３０，４０    感圧接着剤
【図１】
2018176554.tif 000003
【図２】
2018176554.tif 000004
【図３】
2018176554.tif 000005
【図４】
2018176554.tif 000006
【図５】
2018176554.tif 000007
【図６】
2018176554.tif 000008